(57)【特許請求の範囲】
【請求項１】
移動体無線装置と無線ネットワークとの間の無線リソースを管理するための方法であって、
前記無線ネットワークにおけるネットワークサブシステムが、前記移動体無線装置と前記無線ネットワークとの間の同時の音声接続及びデータ接続を検出し、
前記ネットワークサブシステムが、前記音声接続が終了するまで前記データ接続のためのシグナリングメッセージの送信を遅延させ、
前記データ接続はパケット交換無線アクセスベアラを使用し、前記シグナリングメッセージは当該パケット交換無線アクセスベアラのための無線ベアラの再構成メッセージであり、
前記シグナリングメッセージは、前記ネットワークサブシステムから前記移動体無線装置への送信に、複数のデータリンクレイヤ・プロトコル・データ・ユニットを要する、
ことを特徴とする方法。
【請求項２】
前記シグナリングメッセージは、前記ネットワークサブシステムから前記移動体無線装置への送信に、１００ミリ秒より多くを要する、
ことを特徴とする請求項１に記載の方法。
【請求項３】
前記データ接続は高速パケットアクセスのパケット交換無線アクセスベアラを使用し、前記データ接続のための前記シグナリングメッセージは、前記高速パケットアクセスのパケット交換無線アクセスベアラを再構成し、又は開放する、
ことを特徴とする請求項１に記載の方法。
【請求項４】
前記方法は、さらに、
前記移動体無線装置と前記無線ネットワークとの間のシグナリング接続に対する信号品質を推定し、
前記推定した信号品質が所定の信号品質閾値より低い場合にのみ、前記シグナリングメッセージを遅延させる、
ことを特徴とする請求項３に記載の方法。
【請求項５】
前記推定した信号品質は、前記移動体無線装置における、受信信号強度、受信信号符号電力および受信信号対干渉比の少なくとも１つである、
ことを特徴とする請求項４に記載の方法。
【請求項６】
移動体無線装置と無線ネットワークとの間の無線リソースを管理するための方法であって、
前記移動体無線装置と前記無線ネットワークとの間に、音声接続を確立し、
前記移動体無線装置と前記無線ネットワークとの間に、動的帯域幅割り当てに基づいて、可変データレート送信に対応するように構成されるデータ接続を確立し、
前記音声接続が終了するまで、前記データ接続の再構成を制限し、
前記データ接続の前記再構成は、前記データ接続に割り当てられたデータレートを変更することを含む、
ことを特徴とする方法。
【請求項７】
前記データ接続の前記再構成は、前記データ接続を可変データレートから固定データレートへとダウングレードすることを含む、
ことを特徴とする請求項６に記載の方法。
【請求項８】
前記データ接続の前記再構成は、前記無線ネットワークから前記移動体無線装置への送信に、複数のデータリンクレイヤ・プトロコル・データ・ユニットを要する、
ことを特徴とする請求項７に記載の方法。
【請求項９】
前記データ接続の前記再構成は、完了するのに少なくとも１００ミリ秒を要する、
ことを特徴とする請求項８に記載の方法。
【請求項１０】
前記音声接続は回線交換接続であり、前記データ接続は、高速パケットアクセスの無線ベアラに基づくパケット交換接続である、
ことを特徴とする請求項８に記載の方法。
【請求項１１】
前記方法は、さらに、
前記音声接続が終了するまで、前記データ接続が使用する無線リソースの開放を遅延させる、
ことを特徴とする請求項８に記載の方法。
【請求項１２】
前記方法は、さらに、
前記音声接続が終了した後まで、高速パケットアクセスの無線ベアラからリリース９９の無線ベアラへのパケット交換接続のダウングレードを遅延させる、
ことを特徴とする請求項１１に記載の方法。
【請求項１３】
前記データ接続の確立は、リリース９９の無線ベアラに基づく既存のデータ接続を高速パケットアクセスの無線ベアラを使用するようにアップグレードすることを含む、
ことを特徴とする請求項８に記載の方法。
【発明の詳細な説明】
【技術分野】
【０００１】
説明される発明は、一般に無線移動体通信に関する。より具体的には、移動体無線通信装置と無線通信ネットワークとの間の、複数の無線アクセスベアラを有する接続の再構成を制御するための方法が説明される。
【背景技術】
【０００２】
携帯電話または無線パーソナルデジタルアシスタントのような移動体無線通信装置は、例えば、音声通信、テキストメッセージング、インターネットブラウジング、及び電子メールを含む多種多様な通信サービスを提供できる。移動体無線通信装置は、「セル」を重ね合わせた無線通信ネットワークにおいて動作可能であり、各セルは、そのセル内に配置された無線ネットワークサブシステムから広がる、無線信号カバレッジの地理的なエリアを提供する。無線ネットワークサブシステムは、通信用グローバルシステム（ＧＳＭ）ネットワークにおける無線基地局装置（base transceiver station、ＢＴＳ）又はユニバーサル移動体通信システム（ＵＭＴＳ）ネットワークにおけるノードＢを含みうる。より新しい移動体無線通信装置は、同時の音声呼及びデータインターネットブラウジングのような、いくつかの異なる通信サービスを同時に提供する能力を含みうる。個別の無線アクセスベアラは、その移動体無線通信装置と無線ネットワークにおける１つ以上の無線ネットワークサブシステムとの間で、複数のサービスのそれぞれのための無線リンク信号を送信するのに使用されうる。１つの無線アクセスベアラを音声呼に使用することができ、別の無線アクセスベアラをデータインターネットブラウジングに使用することができる。また、追加の無線アクセスベアラを、移動体無線通信装置と無線ネットワークとの間で通信されるメッセージをシグナリングするのに使用することもできる。
【０００３】
移動体無線通信装置のユーザの観点からは、個別の無線アクセスベアラを介して転送される複数の通信サービスのそれぞれを独立に考慮することができ、したがって、１つの無線アクセスベアラを通じた通信への変化は、別の無線アクセスベアラを用いている接続に与える影響を最小限とするべきである。第３世代パートナーシッププロジェクト（３ＧＰＰ）のＵＭＴＳ規格のような、ある通信プロトコルは、複数の無線アクセスベアラ接続を１つの接続として取り扱うことを可能としており、その結果、複数のサービスは個別にではなく全体として変化する。データを運ぶ無線アクセスベアラ上での、又はシグナリング無線ベアラ上でのエラーに起因する複数の無線アクセスベアラ接続のリセットは、別の音声を運ぶ無線アクセスベアラを使用する同時に行われている音声接続を停止させうる。データ接続の喪失はデータ接続が回復するまでの伝送の遅延として理解されうるところ、音声接続の喪失は即時にユーザに明らかになりうる。同時の音声接続及びデータ接続に対応する移動体無線通信装置に対して、同時のデータ接続（又は同時に起こるシグナリング接続）が限定的な性能で動作することができるときにも、音声接続を維持することができるのが好ましい。
【０００４】
無線通信ネットワークを通じたデータの利用は、高度化された移動体無線通信装置の導入に伴って大幅に増大している。データユーザの数が増大すると、無線通信ネットワークは、データの移動体無線通信装置への伝送に影響する、混雑状態及びスケジューリングの問題を被りうる。いくつかの状況において、音声接続とデータ接続とによって同時に接続されている移動体無線通信装置は、データ接続を介してネットワークからデータ又は応答確認を受信しない場合に、音声接続を介して明瞭な音声を提供することができる音声信号を受信し続けることができる。移動体無線通信装置は、データ接続がリカバーできないと思われる場合、再送信を行い、リセットを行い、究極的には、無線接続ネットワークとの無線リンクを切断するように構成されうる。しかしながら、無線リンクの切断は、音声接続が適切に動作していることができるにもかかわらず、データ接続と音声接続との両方を除去しうる。
【０００５】
データ接続がデータパケットの信頼性の高い伝送を提供できる場合であっても、無線ネットワークは、移動体無線通信装置と無線アクセスネットワークとの間の１つ以上の無線アクセスベアラの特性を変更するために、そのデータ接続を、アクティブな接続である間に、再構成することができる。送信データレートを移動体無線通信装置による無線アクセスネットワークを用いた現在の使用量に一致させ、過去、現在又は予測される使用量に基づいて、無線リソースの動的割り当てを効率的に提供するために、無線アクセスベアラの再構成が使用されうる。同様に、無線アクセスベアラを、異なる無線アクセス技術、又はその異なるバージョンの間で再構成することができ、様々な伝送特性を提供することができると共に、様々な処理の要求を使用することが可能となる。いくつかの構成は、他のものより多くの電力を移動体無線通信装置において消費する可能性があり、スループットのためのデータ伝送レートとバッテリ使用量のための電力消費との間の交換を、動的に無線アクセスベアラの構成を適合させることにより実現することができる。
【０００６】
無線アクセスベアラの再構成は、移動体無線通信装置と無線アクセスネットワークとの間で交換される一連のメッセージを通じて完遂されうる。低い受信信号符号電力のような低品質で動作する移動体無線通信装置と無線アクセスネットワークとの間の接続に対しては、再構成メッセージの交換は、限られた無線リソースを占有しうると共に、エラーを受けやすく、潜在的に、再構成メッセージを規定された時間の制限の中で適切に受信できない場合に接続の切断という結果となりうる。再構成メッセージは、長く、かつ多数でありえ、したがって、比較的短いメッセージより伝送の間にエラーを受ける確率が高い。エラー確認及び再送の仕組みが伝送エラーを部分的に補償してシグナリングメッセージの正確な受信を確実にすることができるが、厳しいタイムアウトの要求が、シグナリングメッセージの系列の適時の受信が完遂されえないときにリセットという結果を招きうる。
【発明の概要】
【発明が解決しようとする課題】
【０００７】
したがって、無線通信ネットワークにおける移動体無線通信装置と無線ネットワークサブシステムとの間の複数の無線アクセスベアラ接続において１つ以上の無線アクセスベアラの再構成を制御する必要がある。
【課題を解決するための手段】
【０００８】
説明される実施形態は、一般に無線移動体通信に関する。より具体的には、移動体無線通信装置と無線通信ネットワークとの間における、複数の無線アクセスベアラを有する接続の再構成を制御するための方法が説明される。
【０００９】
１つの実施形態において、移動体無線装置と無線ネットワークとの間の無線リソースを管理するための方法が説明される。その方法は、少なくとも以下のステップを含む。無線ネットワークにおけるネットワークサブシステムは移動体無線装置と無線ネットワークとの間の、同時に起動されている音声接続とデータ接続を検出する。ネットワークサブシステムは、データ接続のためのシグナリングメッセージの送信を、音声接続が終了するまで遅延させる。いくつかの実施形態においては、音声接続とデータ接続は、それぞれ別の無線アクセスベアラを用いる。
【００１０】
もう１つの実施形態において、移動体無線装置と無線ネットワークとの間の無線リソースを管理する別の方法が説明される。その方法は、少なくとも以下のステップを含む。音声接続が移動体無線装置と無線ネットワークとの間で確立される。続いて、動的帯域幅割り当てに基づいて様々なデータレートの送信に対応するように構成されるデータ接続が、その移動体無線装置とその無線ネットワークとの間で確立される。無線ネットワークは、音声接続が終了するまで、そのデータ接続の再構成を制限することができる。
【００１１】
さらなる実施形態において、無線ネットワークと移動体無線装置との間の無線リソースを制御するためにプロセッサにより実行される非一時的なコンピュータプログラムを記憶するための非一時的なコンピュータ可読媒体が説明される。その非一時的なコンピュータ可読媒体は、少なくとも以下を含む。移動体無線装置と無線ネットワークとの間の音声接続を確立するための非一時的コンピュータプログラムコード。移動体無線装置と無線ネットワークとの間のデータ接続を確立するための非一時的コンピュータプログラムコード。データ接続は音声接続と同時に動作状態にある。移動体無線装置へ成功裏にシグナリングメッセージを送信するための時間間隔を推定するための非一時的コンピュータプログラムコード。その後、推定された時間間隔が所定の送信時間間隔を超えると共に、音声接続とデータ接続とが同時に動作状態で維持されている場合に、シグナリングメッセージの送信を遅延させるための非一時的コンピュータプログラムコード。
【００１２】
本発明及びその利点は、添付の図面と併用して以下の説明を参照することにより最もよく理解されうる。
【図面の簡単な説明】
【００１３】
【図１】無線セルラ通信ネットワーク内に位置する移動体無線通信装置を示す図。
【図２】無線通信ネットワークに対する階層構造を示す図。
【図３】移動体無線通信システムのための通信プロトコルスタックを示す図。
【図４】回線交換及びパケット交換を含む、複数の無線アクセスベアラの無線接続を示す図。
【図５】ユーザ端末（ＵＥ）と無線通信ネットワークの複数の要素との間での複数の無線アクセスベアラ（ＭＲＡＢ）の接続設定、再構成、及び開放を示す図。
【図６】ＭＲＡＢ再構成のための、許容される遷移及び許容されない遷移を有する状態遷移図。
【図７】移動体無線装置と無線ネットワークとの間の無線リソースを管理するための代表的な方法を示す図。
【図８】移動体無線装置と無線ネットワークとの間の無線リソースを管理するための代表的な方法を示す図。
【図９】移動体無線装置と無線ネットワークとの間の無線リソースを管理するための代表的な方法を示す図。
【発明を実施するための形態】
【００１４】
以下の説明では、説明される実施形態に内在するコンセプトの完全な理解を与えるために、数多くの特定の詳細が説明される。しかしながら、当業者には、説明される実施形態は、これらの特定の詳細のいくつか又は全てを用いることなく実現されうることは明らかであろう。他の例では、不必要に内在するコンセプトを不明瞭にすることを避けるために、よく知られた処理のステップについては説明されない。
【００１５】
図１は、移動体無線通信装置１０６が接続することができる、無線通信セルを重ね合わせた無線通信ネットワーク１００を示している。各無線通信セルは、中央の無線ネットワークサブシステムから広がる地理的なエリアをカバーすることができる。移動体無線通信装置１０６は、無線通信ネットワーク１００における、移動体無線通信装置から異なる距離に位置する複数の異なるセルからの通信信号を受信することができる。移動体通信用グローバルシステム（ＧＳＭ）プロトコルに従うネットワークのような第２世代（２Ｇ）の無線通信ネットワークにおいては、移動体無線通信装置１０６は、一度に１つの無線リンクを用いて無線通信ネットワーク１００における無線ネットワークサブシステムに接続することができる。例えば、移動体無線通信装置１０６は、初期的に、サービングセル１０２内の無線ネットワークサブシステム（ＲＮＳ）１０４に接続されることができる。移動体無線通信装置１０６は、隣接セルの無線ネットワークサブシステムからの信号を監視することができる。移動体無線通信装置が無線通信ネットワーク１００内で移動すると、移動体無線通信装置１０６は、その接続を、サービングセル１０２の無線ネットワークサブシステム１０４から、隣接セル１１０の無線ネットワークサブシステム１０８へと遷移させることができる。
【００１６】
ユニバーサル移動体通信システム（ＵＭＴＳ）プロトコルに基づくネットワークのような第３世代（３Ｇ）の無線通信ネットワークにおいては、移動体無線通信装置１０６は、複数の無線アクセスベアラを介して１つ以上の無線ネットワークサブシステムに同時に接続されうる。無線アクセスベアラのそれぞれは、１つの無線アクセスベアラでは音声サービス、そして第２の無線アクセスベアラではデータサービスのように、異なる通信サービスを独立に転送することができる。移動体無線通信装置１０６は、サービングセル１０２における無線ネットワークサブシステムに（ＲＮＳ１０４がそのような接続に対応する場合は）、同時に複数の無線アクセスベアラによって接続されうる。移動体無線通信装置は、また、第１の無線アクセスベアラによって、サービングセル１０２のＲＮＳ１０４に、そして隣接セル１１０の第２のＲＮＳ１０８に、同時に接続されうる。場合によっては「スマート」フォンと呼ばれる、高度化された移動体無線通信装置は、複数の無線アクセスベアラを用いた接続を使用して、ユーザに多彩なサービスを提供することができる。そのような装置のユーザは、同時に、音声接続を通じて会話すると共にデータ接続を通じてインターネットをサーフすることができる。
【００１７】
図２は、ＵＭＴＳアクセスネットワークの要素を含むＵＭＴＳ無線通信ネットワーク２００を示している。ＵＭＴＳ無線通信ネットワーク２００で動作する移動体無線通信装置１０６は、ユーザ端末（ＵＥ）２０２とも呼ばれうる。（無線移動体通信装置１０６は、ＧＳＭネットワーク及びＵＭＴＳネットワークのような、異なる無線アクセスネットワーク技術を使用する複数の無線通信ネットワークへ接続する能力を含むことができ、したがって、以下の説明は、そのような「マルチネットワーク」装置にも同様に適用することができる。）ＵＭＴＳ無線ネットワークにおいて、ＵＥ２０２は、１つ以上の無線リンク２２０／２２２を通じて１つ以上の無線ネットワークサブシステム（ＲＮＳ）２０４／２１４に接続することができる。第１のＲＮＳ２０４は、「ノードＢ」２０６として知られ、無線周波数信号を送信し受信する無線アクセスシステムと、「ノードＢ」２０６とコアネットワーク２３６との間の接続を管理する無線ネットワーク制御装置（ＲＮＣ）２０８とを含みうる。同様に、第２のＲＮＳ２１４は、ノードＢ２１０及びＲＮＣ２１２を含みうる。
【００１８】
ＧＳＭネットワークにおける移動体無線通信装置１０６とは異なり、ＵＭＴＳネットワークにおけるＵＥ２０２は、１つより多くの無線ネットワークサブシステムに同時に接続することができる。各ＲＮＳは、回線交換音声ネットワークを通じた音声接続及びパケット交換データネットワークを通じたデータ接続のように、異なるサービスに対して、１つの接続をＵＥ２０２に提供することができる。各無線リンク２２０／２２２は、ＵＥ２０２とそれぞれのＲＮＳ２０４／２１４との間の信号を転送する１つ以上の無線アクセスベアラを含みうる。個別のサービスに対しての個別の接続のために、又はある接続に対して追加の無線リソースを用いたサービスを補うために、複数の無線アクセスベアラを用いることができる。
【００１９】
コアネットワーク２３６は、外部の公衆交換電話網（ＰＳＴＮ）２３２への、そして外部の公衆交換電話網（ＰＳＴＮ）２３２からの、音声トラフィックを運ぶことができる回線交換ドメイン２３８、及び、外部の公衆データネットワーク（ＰＤＮ）２３４への、そして外部の公衆データネットワーク（ＰＤＮ）２３４からの、データトラフィックを運ぶことができるパケット交換ドメイン２４０を含みうる。音声及びデータトラフィックは、各ドメインにより独立にルーティングされ、転送されうる。各ＲＮＳは、音声及びデータトラフィックの両方を組み合わせ、移動体無線通信装置へ運ぶことができる。回線交換ドメイン２３８は、移動体加入者を他の移動体加入者又はゲートウェイＭＳＣ（ＧＭＳＣ）２３０を通じて他のネットワークの加入者へ接続する、複数の移動通信交換局（ＭＳＣ）２２８を含む。パケット交換ドメイン２４０は、サービングＧＰＲＳサポートノード（ＳＧＳＮ）２２４と呼ばれ、データトラフィックを、複数の移動体加入者間で、及び他のデータソースへルーティングし、１つ以上のゲートウェイＧＰＲＳサポートノード（ＧＧＳＮ）２２６を通じてＰＤＮ２３４へ達する、複数のサポートノードを含みうる。コアネットワーク２３６の回線交換ドメイン２３８及びパケット交換ドメイン２４０は、それぞれ。平行して動作することができ、両ドメインは、異なる無線アクセスネットワークに同時に接続することができる。
【００２０】
図２に示されるＵＭＴＳ無線通信ネットワーク２００は、ＵＥ２０２が複数の無線アクセスベアラを通じて無線通信ネットワークに接続する、いくつかの異なる構成に対応することができる。第１の複数無無線アクセスベアラの構成では、ＵＥ２０２がＵＭＴＳ無線通信ネットワーク２００内で位置を変更すると、ＵＥ２０２の「ソフト」ハンドオフが、第１のＲＮＳと第２のＲＮＳ２１４との間で起こりうる。第１のＲＮＳ２０４を介する第１の無線アクセスベアラは、第１の無線アクセスベアラを無効化する前に、第２のＲＮＳ２１３を介する第２の無線アクセスベアラによって補われうる。この場合、接続の信頼性を向上させるために複数の無線アクセスベアラを使用することができ、ＵＥ２０２は、典型的には、複数の無線アクセスベアラを通じて接続される１つのサービスを使用していることが可能である。
【００２１】
第２の複数無無線アクセスベアラの構成では、ＵＥ２０２は、パケットデータ接続に対応するために第１のＲＮＳ２０４を通じてパケット交換ドメイン２４０に接続すると共に、同時に、音声接続に対応するために第２のＲＮＳ２１４を通じて回線交換ドメイン２３８に接続することができる。この場合、ＵＥ２０２は、異なる無線アクセスベアラをそれぞれのサービスのために維持することができる。第３の構成では、１つのＲＮＳは、同一のＵＥ２０２に対する、それぞれが異なるサービスに対応する複数の無線アクセスベアラに、対応することができる。第２及び第３の構成に対して、各無線アクセスベアラの確率と開放は、それらが同時に異なるサービスに関連付けられうるため、独立でありうることが好ましい。
【００２２】
図３は、階層化プロトコルスタック３００を示しており、ＵＥ２０２は、プロトコルスタック３００を用いて、メッセージの交換を通じてＵＭＴＳ無線通信ネットワーク２００との接続を確立し開放することができる。セッション管理レイヤのような、階層化プロトコルスタック３００における上位レイヤ３１０は、ＵＥ２０２の接続を無線通信ネットワーク２００に要求することができる。セッション管理レイヤからの接続要求は、プロトコルスタック３００のレイヤ３におけるＲＲＣ処理レイヤ３０８からプロトコルスタック３００のレイヤ２における無線リンク制御（ＲＬＣ）処理ブロック３０６へ渡される、無線リソース制御（ＲＲＣ）サービスデータユニット（ＳＤＵ）として知られる、一連の個別のパケットかされたメッセージを生じさせうる。
【００２３】
レイヤ３のＳＤＵは、通信リンクの各終端におけるレイヤ３ピア間の通信の基本ユニットを表しうる。各レイヤ３のＲＲＣ  ＳＤＵは、通信リンクを介した伝送のために、ＲＬＣ処理ブロック３０６によって、番号が付されたレイヤ２のＲＬＣプロトコルデータユニット（ＰＤＵ）に分割されうる。レイヤ２のＲＬＣ  ＰＤＵは、通信リンクの各終端におけるレイヤ２ピア間でのデータ転送の基本ユニットを表しうる。レイヤ２のＲＬＣ  ＰＤＵは、階層化プロトコルスタック３００のさらなる下位レイヤ、すなわち論理チャネル３１４をトランスポートチャネル３１２にマッピングする媒体アクセス制御（ＭＡＣ）レイヤ３０４と無線リンクの「エア」インタフェースを提供する物理レイヤ３０２を通じて、送信されうる。通信リンクの受信側の終端（不図示）において、レイヤ２のＲＬＣ  ＰＤＵは、もう１つのＲＬＣ処理ブロックによって、完全なレイヤ３のＳＤＵを形成して他のＲＲＣ処理ブロックへ運ぶために、再構築されうる。
【００２４】
レイヤ２のＲＬＣプロトコルは、無線通信リンクのような、雑音の多い伝送チャネルを介してレイヤ２のＰＤＵのそれぞれの信頼性の高い転送を提供するために、確認応答モード（acknowledged mode）で動作するように構成されうる。レイヤ３のＲＲＣ  ＳＤＵからの１つ以上のレイヤ２のＰＤＵが伝送の間に喪失され、又は不正確に受信された場合、完全なレイヤ３のＲＲＣ  ＳＤＵを再構成する前に、レイヤ２のＰＤＵが再送信されうる。レイヤ２のＲＬＣプロトコルは、再送をトリガするために、自動再送要求（ＡＲＱ）機能を使用することができる。送信側のレイヤ２のＲＬＣ処理ブロック３０６は、受信側のレイヤ２のＲＬＣ処理ブロックから状態報告を受信しうる。状態報告は、送信端からのポーリングに応答して送信されてもよく、又は、受信端によって自動的に送信されてもよい。受信端のポーリングは、送信されるレイヤ２のＰＤＵのフィールドにおいてポーリングビットを設定することにより完遂されうる。例えば、特定のレイヤ３のＳＤＵに対する最後の系列番号を有するレイヤ２のＰＤＵにおいて、ポーリングビットが設定されうる。
【００２５】
受信端におけるレイヤ２処理ブロックはポーリングビットを認識し、最も高いシーケンス番号以前の全てのレイヤ２のＰＤＵが正確に受信されているレイヤ３のＳＤＵにおける、最も高いシーケンス番号のレイヤ２のＰＤＵを表示することによって、そのポーリングに応答することができる。一方で、受信端は、レイヤ２のＰＤＵがシーケンスから外れて受信された場合、または不正確に受信された場合、自動的に状態報告を送信して、ひいては、送信端に、伝送の間に、レイヤ２のＰＤＵが失われていること又は破損していることを警告することができる。送信端は、任意の失われたレイヤ２のＰＤＵを再送信することにより、その状態報告に応答することができる。送信側のＲＬＣレイヤ２処理ブロック３０６におけるエラーチェックを伴う分割と再構成機能は、レイヤ３のＲＲＣ  ＳＤＵにおける全てのレイヤ２のＲＬＣ  ＰＤＵが、完全かつ正確に、送信されるとともに受信されることを確実にすることができる。
【００２６】
図２及び図４に示すように、ＵＭＴＳネットワークは２つの異なるドメイン、（音声又は透過的なデータのような）回線交換トラフィックを運ぶ回線交換ドメイン２３８及び（インターネット接続性又はボイスオーバーＩＰのような）パケットデータを転送するためのパケット交換ドメイン２４０、を含むことができる。図４に示すように、ＵＥ２０２は、音声トラフィックを運ぶために無線アクセスベアラ４０２によって回線交換ドメイン２３８に、そして、データトラフィックを運ぶために無線アクセスベアラ４０４を通じてパケット交換ドメイン２４０に、同時に接続されうる。無線アクセスベアラは、ＵＥ２０２とＲＮＳ２０４を介してのコアネットワーク２３６との間の、回線交換データストリーム又はパケット交換データストリームを転送するためのチャネルと考えることができる。コアネットワーク２３６は、転送されるデータストリームに対する要求と他の基準の中からのユーザの申し込みとに基づいて、データレート及びサービスの品質を含む、各無線アクセスベアラの特性を設定することができる。
【００２７】
パケットデータプロトコル（ＰＤＰ）コンテクスト４０６は、接続の無線アクセスネットワーク部分を介して、無線アクセスベアラ４０４を用いてインターネットプロトコル（ＩＰ）パケットの交換に対応するための、ＵＥ２０２とゲートウェイＧＰＲＳサポートノード（ＧＧＳＮ）２２６との間のパケットデータ接続を提供することができる。ＰＤＰコンテクスト４０６は、ＵＥ２０２のための、ＩＰアドレスのようなＰＤＰアドレスを含みうる。ＵＥ２０２はセッション管理レイヤ３１０においてＰＤＰコンテクスト４０６を起動することができ、無線アクセスベアラ４０４は、ＵＥ２０２のためのデータの転送のために、起動されると共に、ＰＤＰコンテクスト４０６と関連付けられうる。一度確立されると、データは、一連のレイヤ３のＳＤＵとして送信されることができ、各レイヤ３のＳＤＵは、図３について上述したように、番号付けられたレイヤ２のＰＤＵのシーケンスを通じて転送される。
【００２８】
ＵＥ２０２とＲＮＳ２０４との間で使用可能な無線周波数のスペクトルが制限されうると、無線通信ネットワーク２００は、データを運ぶ無線アクセスベアラ４０４を、特定の範囲のデータレートに対応するように設定することができる。無線アクセスベアラ４０４に対するデータレートの選択は、ＵＥ２０２からの初期データ要求、ＵＥ２０２によるデータ伝送のヒストリ（例えば、バッファの深さ及びいわゆる「ハッピービット」）、推定と測定との少なくともいずれかがなされたＵＥ２０２とＲＮＳ２０４との間の無線接続の信号特性、及び無線アクセスネットワークの負荷の推定値と測定値との少なくともいずれかを含むがこれには限定されない複数のファクタに依存しうる。ＰＤＰコンテクスト４０６が確立されると、又は１つ以上の無線アクセスベアラ４０４がすでに確立されているＰＤＰコンテクスト４０６に対して割り当てられると、データを運ぶ無線アクセスベアラ４０４の構成が生じうる。
【００２９】
また、初期設定の後、無線アクセスベアラ４０４は、無線通信ネットワークによって、１つ以上の無線ベアラ再構成（ＲＢＲ）コマンドメッセージを通じて再構成されうる。無線アクセスベアラ４０４の再構成は、無線通信ネットワークにより、１つのＵＥ２０２からリソースの割り当てを解除するために、及び他のＵＥ２０２のためにそのリソースを予約又は再割り当てするために使用されうる。再構成は、無線アクセスネットワークの負荷（例えば、共通の無線アクセスリンクを共有するアクティブなユーザの数）の変化、ユーザデータ負荷（例えば、最近の使用量に基づく推定データ帯域幅要求）の変化、無線アクセスリンクの信号伝送特性（例えば、完了及び雑音の偏差）の変化の結果として、又は無線アクセスベアラ４０４についての他の動的特性の結果として、生じうる。１つ以上の無線アクセスベアラ４０４の動的再構成は、限定された帯域幅の無線アクセススペクトルを、同一の無線アクセススペクトルを共有する複数のユーザから無線通信ネットワーク２００の無線ネットワークサブシステムへの動的データ転送の要求に合致させることができる。
【００３０】
上位レイヤのＲＢＲメッセージのそれぞれは、ＵＥ２０２とＲＮＳ２０４との間のシグナリング無線ベアラを経た伝送のために、シーケンスの下位レイヤＲＬＣ  ＰＤＵに分割されうる。シグナリング無線ベアラは、関連するデータを運ぶ無線アクセスベアラとは切り離して割り当てられ、維持されることができる。シグナリング無線ベアラに対するスループットのデータレートは、固定されると共に、その関連するデータを運ぶ無線アクセスベアラに供されるデータレートと比較して比較的低くてもよい。比較的長い上位レイヤＲＢＲメッセージに対しては、下位レイヤＲＬＣ  ＰＤＵのシーケンスは多くなり、例えば、１５−２５個のＰＤＵとなりうる。下位レイヤＲＬＣ  ＰＤＵのそれぞれは、比較的低いデータレートのシグナリング無線ベアラ上で送信するのに、４０ｍｓ以上かかる場合があり、したがって、単一のＲＢＲメッセージは、全ての送信のためのほぼ１秒を要求しうる。
【００３１】
ＵＥ２０２とＲＮＣ２０４との間の接続における信号の強度は時に弱くなる場合があり、したがって、ＲＢＲメッセージの送信時に伝送エラーが起こり得る。無線ベアラの再構成メッセージが比較的長い場合があり、より多くの障害の機会に遭う可能性があるところ、接続を確立し開放するのに使用されるメッセージのような、いくつかのメッセージは、比較的短い場合があり、例えば１つのＲＬＣ  ＰＤＵの長さとなりうる。シグナリングメッセージにおける構成要素であるＲＬＣ  ＰＤＵの伝送エラーを訂正するのに利用可能な再送信を用いる場合でも、シグナリングメッセージの伝送が完了するのに長くかかりすぎるとタイマが満了しうる。複数の再送が成功しない場合、無線ネットワークサブシステム２０４は、ＵＥ２０２への伝送リンクが信頼できず修正不可能であると結論を下しうる。無線ネットワークサブシステムは、機能するリンクを再確立するために極めて品質の悪い接続を切断することができる。
【００３２】
しかしながら、タイマの満了とリンクの切断は、再構成中であるデータを運ぶ無線アクセスベアラ４０４だけでなく、音声を運ぶ無線アクセスベアラ４０２のような、ＵＥ２０２と無線通信ネットワークとの間に同時に存在する他の無線アクセスベアラの全ての開放の原因となり得る。したがって、データ接続（特に、弱い信号特性を有する接続）の再構成は、同時の音声接続を切断させる場合があり、これはＵＥ２０２のユーザが即時に気付きうる。適切に機能するのに比較的限定的なデータレートを要求しうる音声接続は、比較的高いデータレートのシグナリング接続の品質を極めて悪くしうる、弱い信号状態又は非常に変わりやすい信号状態の間に、適切に機能しうる。音声接続を保護するために、音声を運ぶ無線アクセスベアラ４０２が確立され同時に使用されている場合、並行するデータを運ぶ無線アクセスベアラ４０４に関連する長いシグナリングメッセージの送信を最小化することが好ましい場合がある。データを運ぶ無線アクセスベアラ４０２の初期設定、又は確立された後の続く再構成は、ＵＥ２０２と無線通信ネットワーク間の同時の音声接続を考慮することができる。
【００３３】
通信プロトコルの様々なバージョン（又はリリース）は、様々な特性を有する無線アクセスベアラを使用しうる。ＵＭＴＳの初期の「リリース９９」のバージョンの無線アクセスベアラは、３８４ｋｂｉｔ／ｓまでのパケット交換データ接続に対応することができる。「リリース９９」の無線アクセスベアラに割り当てられるデータレートは、初期化の間に確立され、アクティブである間、再構成により変更されうる。ＵＭＴＳの「リリース５」「リリース６」と呼ばれる、ＵＭＴＳのその後のバージョンは、下りリンク方向と上りリンク方向とのそれぞれに対して、高速パケットアクセス（ＨＳＰＡ）の能力を含む。ＨＳＰＡ無線アクセスベアラを使用してサポートされるデータレートは、「リリース９９」の無線アクセスベアラを使用してサポートされるデータレートより大幅に高くできる。さらに、ＨＳＰＡ無線通信ネットワークは、ＨＳＰＡ無線アクセスベアラに、無線ベアラ再構成メッセージを使用することなく動的に帯域幅を割り当てることができる。
【００３４】
無線通信ネットワークは、すでにフィールドで使用されている既存の装置との後方互換性を維持するために、複数のＵＭＴＳのバージョンに、同時に対応することができる。ＵＭＴＳ通信プロトコルは、「リリース９９」無線アクセスベアラ又はＨＳＰＡ無線アクセスベアラを、それぞれの方向において独立に確立することを許可できる。また、確立された無線アクセスベアラは、無線通信ネットワークによって再構成されることができ、ＨＳＰＡ無線アクセスベアラから「リリース９９」無線アクセスベアラへ変更することができる。特に、無線アクセスベアラを通じた、確立されたデータ接続の不使用が、ネットワークに無線アクセスベアラをダウングレードさせうる。ダウングレードは、ＨＳＰＡ無線アクセスベアラから「リリース９９」無線アクセスベアラへの再構成と、「リリース９９」無線アクセスベアラに割り当てられたデータレートの削減とを含みうる。無線通信ネットワークは、可能であれば、ＵＥ２０２と無線通信ネットワークとの間の接続上で使用される無線アクセスベアラに割り当てられたデータレートを下げることにより、ネットワークリソースを節約することを選択することができる。
【００３５】
同時の音声を運ぶ無線アクセスベアラ４０２を伴わないデータを運ぶ無線アクセスベアラ４０４のみを使用するＵＥ２０２と無線通信ネットワークとの間の接続に対して、１つ以上のデータを運ぶ無線アクセスベアラ４０４の、ユーザのデータのアクティビティに合致させるための再構成の影響は最小でありうる。データを運ぶ無線アクセスベアラ４０４が切断され、並列のシグナリング無線アクセスベアラの伝送品質が悪いために再確立が要求される場合であっても、ユーザは単にデータ転送の遅延を知覚しうる。インターネットのサーフ又は電子メールの読み出しのような、遅延を伴って動作することができるサービスは、接続の遮断を許容することができる。同時の音声を運ぶ無線アクセスベアラ４０２を含むＵＥ２０２及び無線ネットワークとの間の接続に対しては、（音節接続の同時の切断を起こしうる）データ接続の切断は、ＵＥ２０２のユーザに即時に明らかとなりうる。無線通信ネットワークは、それ自身とＵＥ２０２との間で、同時に存在する音声を運ぶ無線アクセスベアラ４０２とデータを運ぶ無線アクセスベアラ４０４を知っているため、無線通信ネットワークは、音声を運ぶ無線アクセスベアラ４０２がアクティブに接続されている間は、データを運ぶ無線アクセスベアラ４０４の再構成を遅延させ、又は制限することができる。
【００３６】
いくつかの実施形態において、データを運ぶ無線アクセスベアラ４０４の再構成の遅延または制限は、音声を運ぶ無線アクセスベアラの同時の存在に加えて、１つ以上の測定されるＵＥ２０２とＲＮＳ２０４との間の接続の信号伝送品質に依存してもよい。測定することができる代表的な信号伝送品質は受信信号符号電力（ＲＳＣＰ）、受信信号強度表示（ＲＳＳＩ）、及びパイロットチャネルのチップごとの受信エネルギーを全体の雑音／干渉で割ったもの（ＥｃＩｏ）を含む。１つ以上の測定された信号伝送品質が所定の閾値より低い場合、データを運ぶ無線アクセスベアラ（又は、伝送エラーを招きうると共にデータを運ぶ無線アクセスベアラと同時の音声を運ぶ無線アクセスベアラとの両方の解放を起こし得る他の長いシグナリングメッセージング）は、同時の音声を運ぶ無線アクセスベアラがアクティブであるとき、伝送信号品質が改善するまで、制限され、又は遅延させてもよい。
【００３７】
図５は、複数の無線アクセスベアラ（ＭＲＡＢ）接続設定、再構成、及び開放の間にユーザ端末（ＵＥ）２０２と無線通信ネットワークの要素との間で生じうるやり取りを示している。図５に示す図を単純化するために、ＵＥ２０２と無線通信ネットワークとの間で処理を実行するために送信されうる複数の個別のコマンドは、場合によって、単一の双方向のやり取りとして表している。シグナリングコマンドを送信し、受信することができる無線通信ネットワークの個別の要素は、明示はしていない。
【００３８】
まず、ＵＥ２０２又は無線通信ネットワークは、上位レイヤシグナリング接続を確立するために、上位レイヤ無線リソース制御（ＲＲＣ）接続リクエストを送信できる（５０２）。その後、ＲＲＣ接続が、設定され（５０４）、完了されうる（５０６）。上位レイヤＲＲＣシグナリング接続の確立の後に、無線通信ネットワークにより、回線交換（ＣＳ）の音声接続が設定され（５０８）、音声を運ぶＣＳ無線アクセスベアラ（ＲＡＢ）が割り当てられる（５１０）。ＣＳ接続の確立後、続いて、パケット交換（ＰＳ）のデータ接続が要求され設定される（５１２）。ＰＳデータ接続の確立は、ＵＥ２０２により、例えば、ユーザがインターネットブラウジングのセッションを確立するためのデータを送信することにより、又はネットワークにより、例えば、ＵＥ２０２へ電子メール通知をプッシュするために、開始されうる。ＰＳ無線アクセスベアラが、割り当てられた初期データレートと共に割り当てられうる（５１４）。初期データレートは、とりわけ、ＵＥ２０２により要求されたデータレート、ＵＥ２０２における送信バッファが一杯であることの表示、ＵＥ２０２とＲＮＳ２１６との間の伝送チャネル容量の測定値、又は同一のＲＮＳ２１６からサービスを受ける複数のＵＥ２０２に対するデータトラフィック負荷の推定値のような、１つ以上の因子に基づいて、ネットワークが選択してもよい。図５においては、ＰＳ無線アクセスベアラは、１２８ｋｂｉｔ／ｓの下りリンク（ＤＬ）データレートと、６４ｋｂｉｔ／ｓの上りリンク（ＵＬ）データレートが割り当てられうる。
【００３９】
ＵＥ２０２と無線通信ネットワークとの間のＰＳ接続の確立後、ネットワークは、データを運ぶＰＳ無線アクセスベアラを「ダウングレード」することにより、ＰＳ接続を再構成することを選択することができる。ＰＳ  ＲＡＢの再構成は、ＰＳ  ＲＡＢの確立時に、ＰＳ  ＲＡＢの初期データレートを設定するのに使用されたものを含むいくつかの因子のいずれかの変化に基づき、ネットワークが開始することができる。例えば、ＰＳ接続上での、ある時間区間の間の不使用は、ＵＥ２０２からリソースの割り当てを解除して、他のユーザに再割り当てできること又は将来の割り当てのために予約できることを、無線通信ネットワークが判断することにつながりうる。または、ＵＥ２０２が生成した、又は無線通信ネットワークから生じた追加のデータに対応するために、無線通信ネットワークは、ＰＳ接続を「アップグレード」するためにメッセージを送信することができる。
【００４０】
図５のシーケンスにより示されるように、初期のＰＳ  ＲＡＢは、上りリンク（ＵＬ）方向における６４ｋｂｉｔ／ｓのデータレート容量と下りリンク（ＤＬ）方向における１２８ｋｂｉｔ／ｓのデータレート容量とを有する「リリース９９」のＲＡＢとして割り当てられうる。上りリンク及び下りリンクの各方向におけるデータレート容量は、再構成コマンドを用いて個別に再構成することができる。データアクティビティ、保留データ又は他の伝送特性の変化の結果として、ＰＳ  ＲＡＢはＰＳ  ＲＡＢ再構成（５１６）メッセージ（又はメッセージのシーケンス）により、ＵＬ方向において、より高い１２８ｋｂｉｔ／ｓのデータレート容量へとアップグレードされうる。アップグレードされたＰＳ  ＲＡＢは、ＵＥ２０２のユーザにより生成された追加のＵＬデータに対応することができる。続いて、無線通信ネットワークにより生成されたより多くのＤＬデータを運ぶために、再度、別のＰＳ  ＲＡＢ再構成（５１８）により、ＤＬ方向においてより高い３８４ｋｂｉｔ／ｓのデータ容量へと、とＰＳ  ＲＡＢをアップグレードすることができる。ＵＬ方向において負使用の期間の後に、無線ネットワークは、ＰＳ  ＲＡＢ再構成（５２０）を用いて、ＵＬ方向においてより低い３２ｋｂｉｔ／ｓのデータレート容量へと、ＰＳ  ＲＡＢをダウングレードすることができる。ＵＬ方向及びＤＬ方向の両方において負使用が継続すると、無線ネットワークは、ＰＳ  ＲＡＢ再構成（５２２）を用いて、ＵＬ方向及びＤＬ方向の両方において完全に０ｋｂｉｔ／ｓのデータレート容量へと、効率的にＰＳ接続をダウングレードすることができる。または、無線ネットワークは、データを運ぶＲＡＢ５２４を、そのリソースの割り当てを解除することにより、開放することができる。
【００４１】
図５に示される再構成コマンドのそれぞれは、上述のように、十分な時間区間に及ぶＲＬＣ  ＰＤＵの系列を必要としうるとともに、受信においてエラーが起こりやすくなりうる。ＵＥ２０２と無線通信ネットワークとの間のシグナリング接続が弱く、伝送エラーに脆弱である場合、アップグレード、ダウングレード又は開放の再構成メッセージのいずれもが喪失し、又は破損する場合がある。無線ネットワークが再構成を適切に完遂できない場合、ＵＥ２０２と無線通信ネットワークとの間のデータを運ぶＰＳ接続と、同時の音声を運ぶＣＳ接続との両方が無線ネットワークにより解放されうる。したがって、同時の音声を運ぶＣＳ接続がまず解放されるまで、データを運ぶＰＳ接続に対する再構成又は開放を制限し、又は遅延させることが望ましい場合がある。
【００４２】
図６は、様々な無線アクセスベアラ構成で無線通信ネットワークに接続されるＵＥ２０２に対する、状態遷移図６００を示している。状態遷移図６００は、許容されうる状態遷移と、さらに、呼の安定性を向上させるために許容されない場合がある状態遷移とを含む。まず、状態６０２において、ＵＥ２０２と無線通信ネットワークとの間に音声のＣＳ接続又はデータのＰＳ接続が存在しない場合がある。ＵＥ２０２は、ＣＳ無線アクセスベアラを確立することにより、状態遷移６１２を経て、状態６０４においてＣＳのみの接続を有する状態へと遷移しうる。（ＣＳのみの接続を確立するために必要な、要求、設定、割り当て、構成、及び他のステップは、非明示的に、状態遷移６１２に含まれうる。）ＣＳのみの接続状態６０４にあるとき、接続なしの状態６０２へ戻るために、ＵＥ２０２又は無線通信ネットワークはＣＳ無線アクセスベアラを解放することができる（状態遷移６１４）。ＵＥ２０２又は無線通信ネットワークが、音声のＣＳ接続がアクティブである間にデータＰＳ接続に対応するためにデータを運ぶ無線アクセスベアラを確立する場合、状態遷移６１６で示されるように、ＨＳＰＡ  ＲＡＢが確立されうる。（ＨＳＰＡ  ＲＡＢは、同時のＣＳ及びＰＳ接続の間は、ＰＳデータ接続に対してリリース９９のＲＡＢであることが望ましい場合がある。）ＵＥ２０２は、その後、音声に対してＣＳ接続を介して、データに対してＨＳＰＡ  ＰＳ接続を介して、同時に無線通信ネットワークに接続されることができる（状態６０６）。
【００４３】
一度ＣＳ及びＰＳ接続を併用する状態６０６に入ると、ＨＳＰＡ  ＰＳ無線アクセスベアラの開放又は再構成は、呼の安定性を向上させるために、許容されなくなる場合がある。この不許容は、ＵＥ２０２から無線通信ネットワークへの要求によるＵＥ２０２の能力の判定において、又は、ＵＥ２０２と無線通信ネットワークとの間の伝送チャネルの品質の推定において、予測することができる。このように、場合によって、信号品質状態が悪く再構成メッセージにエラーが起こりやすい可能性がある場合のように、ＣＳ及びＰＳ接続を併用する状態６０６においては、特定の許容されない遷移が禁止されうる。別の場合では、信号品質状態が優れており、再構成メッセージが低いエラーの確率で受信されることが期待できるときのように、１つ以上の「許容されない」遷移が許容されうる。また、不許容は、無線アクセスネットワークの伝送品質状態に関係なく設定されてもよい。
【００４４】
ＣＳ及びＰＳ接続状態６０６における特定の状態遷移は、上述のように、条件付きで（又は無条件に）禁止されうる。ＨＳＰＡ  ＰＳ無線アクセスベアラは、状態遷移６１８が×印で消されることにより示されるように、許容されない場合がある。同様に、ＨＳＰＡ  ＰＳ無線アクセスベアラの再構成は、状態遷移６２０が×印で消されることにより示されるように、許可されない場合がある。ＨＳＰＡ  ＰＳ無線アクセスベアラの「リリース９９」ＰＳ  ＲＡＢへのダウングレードも、状態遷移６２２が×印で消されることにより示されるように許可されない場合がある。代わりに、ＵＥ２０２及び無線ネットワークは、音声のＣＳ無線アクセスベアラが状態遷移６３２を通じて解放された後まで、ＨＳＰＡ  ＰＳ無線アクセスベアラへの変更を実現することを待つことができる。
【００４５】
ＣＳ無線アクセスベアラは、状態遷移６３２により示されるように、開放することができ、その結果、データを運ぶＨＳＰＡ  ＰＳ接続のみの状態６１０となる。又は、ＵＥ２０２及び無線通信ネットワークの「接続なし」状態６０２からＨＳＰＡ  ＰＳ接続のみの状態６１０への状態遷移６４２を通じた遷移により、ＨＳＰＡ  ＰＳ  ＲＡＢを確立することができる。一度ＨＳＰＡ  ＰＳのみの接続状態６１０に入ると、ＵＥ２０２及び無線通信ネットワークは、状態遷移６３６により示されるように、ＰＳ無線アクセスベアラをＨＳＰＡからＲ９９へとダウングレードすることができる。ＨＳＰＡ  ＰＳのみの接続状態６１０においては、音声のＣＳ接続がアクティブになりえないため、ＰＳ無線アクセスベアラのダウングレードを実現するための再構成メッセージの交換は、存在しない音声呼に影響を与えることはない。同様に、ＨＳＰＡ  ＰＳのみの接続状態６１０においては、状態遷移６４０によって示すように、ＨＳＰＡ無線アクセスベアラを再構成することができる。ＨＳＰＡ  ＰＳのみの接続状態６１０にあるときに、接続なし状態６０２への状態遷移６３８によって示されるように、ＨＳＰＡ  ＰＳ無線アクセスベアラを解放することもできる。ＵＥ２０２と無線通信ネットワークがＣＳ無線アクセスベアラを追加して、（状態遷移６３４を介して）ＨＳＰＡ  ＰＳのみの接続状態６１０からＣＳ及びＨＳＰＡ  ＰＳ接続状態６０６へと遷移させた場合、ＰＳ  ＨＳＰＡ  ＲＡＢのダウングレード、開放又は再構成は、再び条件付きで禁止されうる。
【００４６】
「接続なし」状態６０２から、状態遷移６２８により示されるように、「リリース９９」のＰＳ無線アクセスベアラが確立されると、ＵＥ２０２は、「リリース９９」のデータを運ぶＰＳ接続のみの状態６０８において無線ネットワークと接続することができる。ＨＳＰＡ  ＰＳのみの状態６１０におけるように、存在しない音声接続に影響を与えることなく、データを運ぶＰＳ無線アクセスベアラを再構成し（状態遷移６２６）、又は開放する（状態遷移６３０）ことができる。ＰＳ無線アクセスベアラは、「リリース９９」のＲＡＢからＨＳＰＡ  ＲＡＢへと、状態遷移６４４により「アップグレード」することもできる。
【００４７】
データを運ぶリリース９９のＰＳ接続が確立された後に音声のＣＳ接続が確立し、例えば、Ｒ９９のＰＳのみ接続状態６０８から音声呼を確立すると、好ましくは、ＣＳ無線アクセスベアラを音声呼のために設定する時に、リリース９９の無線アクセスベアラは、ＨＳＰＡの無線アクセスベアラへと再構成されてもよい（状態遷移６２４）。「リリース９９」のＰＳ接続がＵＥ２０２においてバッテリ電力を節約するために低電力消費を実現できるところ、一度ＣＳ音声接続がアクティブとなると、同時の音声接続のための呼の安定性を保証することより、「アクティブでない」データ接続のための電力の節約は重要ではなくなりうるからである。ＣＳ及びＨＳＰＡ  ＰＳ接続が併用されると（状態６０６）、ＨＳＰＡ接続は、送信するデータが存在し、かつ無線通信ネットワークからのアクセス許可がＵＥ２０２によって受信された場合にのみ上りリンクの伝送が生じうるため、ネットワークの無線リソースに影響を与えることなくアクティブのままでいることができる。送信するデータがないと、上りリンクのＨＳＰＡ  ＰＳ接続はアイドルとなりうるが、送信の準備はできている。ＣＳ音声接続とＰＳデータ接続とを併用している場合（状態６０６）に、固定帯域幅データレートの「リリース９９」無線アクセスベアラではなく、動的帯域幅割り当てと共にＨＳＰＡ  ＰＳ無線アクセスベアラを用いることにより、ＰＳデータ無線アクセスベアラの再構成を、ネットワークへの不利益なく、かつ、ＣＳ音声接続とＰＳデータ接続との併用に対して呼の安定性を向上させた状態で、遅延させることができる。
【００４８】
図６に示すように、ダウングレード６２２、再構成６２０及び開放６１８のような特定の状態遷移の使用の制限は、追加の条件因子に依存しうる。例えば、ＵＥ２０２に接続されるとき、無線ネットワークは、ＵＥ２０２と無線ネットワークの無線アクセス部分との間の信号品質を監視することができる。下りリンクの信号品質、上りリンクの信号品質、又は両方の信号品質が所定の信号品質の閾値より下に落ちたとき、無線ネットワークは、図６に示すように、データ接続リソースへの変更を制限することができる。信号品質の１つ以上がその所定の信号品質閾値（又は第２のより高い所定の信号品質閾値）を越えた場合、無線ネットワークは、シグナリングメッセージの伝送におけるエラーの確率を極めて低くできるため、再構成６２０のような１つ以上の制限された状態遷移を使用することができる。
【００４９】
音声及びデータの同時接続に影響を与えうるシグナリングメッセージは、上述のように、様々な条件の下で、制限され、遅延され、拒否されうる。場合によっては、ＵＥ２０２が無線ネットワークに１つ以上の状態で接続されるときに、特定のシグナリングメッセージが遅延させられうる。さらに、無線ネットワークによっていずれのシグナリングメッセージを遅延させるかは、データ接続、音声接続又は両者におけるその意図される効果のような、シグナリングメッセージの特性に依存してもよい。シグナリングメッセージを遅延させるかどうかも、シグナリングメッセージの全体をＵＥ２０２へ送信するのに要求される伝送時間の推定値に依存してもよい。送信するのにただ１つのリンクレイヤのプロトコルデータユニットのみを必要とするような短いメッセージは許容されてもよく、一方で、送信するのに所定数より多くのリンクレイヤのプロトコルデータユニットを必要とするような長いメッセージは制限され又は遅延させられてもよい。シグナリングメッセージの伝送の「長さ」は、構成するプロトコルデータユニットの数、又は伝送時間、又は他の適切な測定値により推定され、又は測定されてもよい。推定され、又は測定された「長さ」は、同時に音声及びデータ接続されている間のように、ＵＥ２０２及び無線ネットワークが特定の状態において接続されている場合に、シグナリングメッセージを遅延させるかを判定するのに使用することができる。
【００５０】
図７は、移動体装置と無線ネットワークとの間の無線リソースを管理するための代表的な方法７００を示している。無線ネットワークのような無線ネットワークにおけるネットワーク要素は、ステップ７０２によって示されるように、位相体装置と無線ネットワークとの間の同時の音声接続とデータ接続とを検出することができる。音声接続とデータ接続とのそれぞれは、移動体装置と無線ネットワークとの間の信号を転送するために、別個の無線リソースを使用することができる。音声接続とデータ接続とのためのシグナリングは、音声及びデータを転送するのに使用する無線リソースとは別の無線リソースを使用することもできる。移動体装置と無線ネットワークが同時の音声及びデータ接続によって接続されている間、ステップ７０４に示すように、無線ネットワークによって、１つ以上のシグナリングメッセージが送信のために遅延させられる。ステップ７０６では、無線ネットワークにおけるネットワーク要素は、音声接続が終了したことを検出することができる。続いて、ステップ７０８において、無線ネットワークにより遅延させられたシグナリングメッセージが、移動体装置へ送信されることができる。いくつかの実施形態において、シグナリングメッセージを遅延させるかは、移動体装置と無線ネットワークとの間の接続の信号品質に依存しうる。信号品質が高くなるとシグナリングメッセージを遅延なく送信することが許可されうる一方で、信号品質が低くなるとシグナリングメッセージの送信は、音声接続が終了するまで又は信号品質が改善するまで制限されうる。いくつかの実施形態では、シグナリングメッセージを遅延させるかは、シグナリングメッセージのタイプに依存しうる。音声接続又はデータ接続に影響を与えうる特定のシグナリングメッセージは遅延させられうる一方で、他のシグナリングメッセージは許容されいる。いくつかの実施形態においては、シグナリングメッセージを遅延させるかは、シグナリングメッセージを移動体装置へ送信するための時間の推定値に依存しうる。送信に複数のプロトコルデータユニットを必要とするシグナリングメッセージは遅延させられうる一方で、１つのプロトコルデータユニットのみを必要とする他のシグナリングメッセージは送信されうる。又は、時間間隔閾値より多くの伝送時間を要求するシグナリングメッセージは遅延させられうる一方で、短い送信時間間隔を必要とする他のシグナリングメッセージは許可されうる。
【００５１】
図８は、移動体装置と無線ネットワークとの間の無線リソースを管理するための第２の方法８００を示している。ステップ８０２において、無線ネットワークのネットワーク要素は、移動体装置と無線ネットワークとの間の同時の音声接続及びデータ接続を検出することができる。音声接続とデータ接続のそれぞれは、別個の無線リソースを使用することができる。ステップ８０４において、同時の音声接続及びデータ接続都に関連するシグナリング接続が、移動体装置又は無線ネットワークによって信号品質のために推定され（又は測定され）うる。シグナリング接続の信号品質は、受信信号強度、受信信号対干渉比、又は同様の信号品質メトリックのような１つ以上の測定値に基づくことができる。推定された信号品質は、ステップ８０６において、所定の信号品質閾値と比較されうる。信号品質が所定の閾値を超える場合、シグナリングメッセージが伝送において破損する確率を低くできる。ステップ８１２において、シグナリングメッセージを送信することができる。
【００５２】
ステップ８０６における判定で、シグナリング接続の推定信号品質が所定の閾値より下に落ちているとき、ステップ８０８において、無線ネットワークによる移動体装置への送信を対象としたデータ接続のためのシグナリングメッセージは、無線ネットワークにより、遅延させられうる。ステップ８１０において、無線ネットワークは、音声接続がいまだにアクティブであるかを判定することができる。音声接続がデータ接続と共にアクティブのままである時、信号品質を推定するステップと、所定の信号品質閾値と比較するステップとを再度繰り返しうる。ステップ８０６の判定において信号品質が改善した場合、ステップ８１２において、遅延させられていたシグナリングメッセージは送信されることができ、そうでない場合、シグナリングメッセージは、音声接続が終了するまで、無線ネットワークによって遅延させられ続けてもよい。
【００５３】
図９は、移動体装置と無線ネットワークとの間の無線リソースを管理する方法９００のまたさらなる実施形態を示している。ステップ９０２において、音声接続とデータ接続とを、移動体装置及び無線ネットワークの間に確立することができる。音声接続及びデータ接続は、異なる無線アクセスベアラのような、別個の無線リソースを使用することができる。ステップ９０４において、無線ネットワークは、データ接続のためのシグナリングメッセージをキューイングことができる。ステップ９０６において、無線ネットワークは、そのシグナリングメッセージを移動体装置へ送信するのに要する時間間隔を推定することができる。ステップ９０８において、推定された時間間隔が、所定の時間間隔閾値と比較されうる。データ接続のためのシグナリングメッセージの送信に要する時間間隔が所定の送信時間間隔閾値を越えない場合、ステップ９１６において、無線ネットワークは、データ接続のためのシグナリングメッセージを移動体装置へ送信することができる。一方で、ステップ９０８において、推定された時間間隔が所定の送信時間間隔閾値を越える場合は、ステップ９１０において、無線ネットワークと移動体装置との間の接続の信号品質を、所定の信号品質閾値と比較することができる。信号品質は、信号強度、信号対雑音／干渉比、信号品質メトリック、または移動体装置又は無線ネットワークによって測定される他の信号品質のいずれかを含むことができる。信号品質が所定の信号品質閾値より下に落ちていない場合は、無線ネットワークは、ステップ９１６において、データ接続のためのシグナリングメッセージを送信することができる。信号品質が所定の信号品質閾値より低い場合は、ステップ９１２において、無線ネットワークは、音声接続がアクティブであるかを判定することができる。音声接続が終了している場合は、ステップ９１６において、シグナリングメッセージを送信することができる。そうでなければ、ステップ９１４において、無線ネットワークは、シグナリングメッセージの伝送を遅延させることができる。シグナリングメッセージは、信号品質が所定の信号品質閾値より低く落ちているとともに、音声接続がアクティブのままである間は、無線ネットワークにより遅延させられたままとしてもよい。
【００５４】
同時の音声及びデータ接続の間、シグナリングメッセージを遅延させることにより、特に移動体装置と無線ネットワークとの間の信号品質が低い場合、無線ネットワークは、シグナリングメッセージの成功裏の送信ができないことに起因する音声接続の開放の確率を最小化することができる。複数のプロトコルデータユニットまたは長い送信のための時間間隔を要するような、データ接続に関連するシグナリングメッセージは、弱い信号品質を有する接続において送信されるとエラーが起きやすい場合がある。移動体装置のユーザは、信号品質状態が改善するまで、または音声接続が終了するまで、データ接続に対する変更における遅延を許容しうる。このようにして、同時のデータ接続のためのシグナリングのエラーに起因する不用意な音声接続の開放を回避し、又は最小化することができる。
【００５５】
説明された実施形態の様々な態様をソフトウェア、ハードウェア又はハードウェアとソフトウェアとの組み合わせによって実装することができる。また、説明した実施形態を、製造作業を制御するためのコンピュータ可読媒体上のコンピュータ可読コードとして、又は熱可塑性の成形された部品を組み立てるのに使用される製造ラインを制御するためのコンピュータ可読媒体上のコンピュータ可読コードとして、実現することができる。コンピュータ可読媒体は、コンピュータシステムによりその後読み出されうるデータを記憶することができる任意のデータ記憶装置である。コンピュータ可読媒体の例は、読み出し専用メモリ、ランダムアクセスメモリ、ＣＤ−ＲＯＭ、ＤＶＤ、磁気テープ、光学データ記憶装置、及び搬送波を含む。コンピュータ可読媒体は、また、コンピュータ可読コードが分散手法で記憶され、実行されるように、コンピュータシステムに接続されたネットワーク上で頒布されてもよい。
【００５６】
説明した実施形態の様々な態様、実施形態、実装、又は特徴は、分離して、又は任意の組み合わせで使用することができる。上述の説明は、説明の目的で、本発明の完全な理解を与えるために特定の用語を使用した。しかしながら、当業者にば、本発明を実行するためには、その特定の詳細な記述は必要ではないことが明らかであろう。このように、上述の本発明の特定の実施形態の説明は、例証及び説明の目的で提示されている。それらは、本発明を網羅すること又は本発明を開示された厳格な形式に限定することを意図していない。多くの変更及び変形が上述の開示を考慮して可能であることは、当業者であれば明らかであろう。
【００５７】
本発明の原理と現実的な応用とを最もよく説明するために、それにより、当業者が本発明と、予期される特定の使用に適合される様々な変更を伴う様々な実施形態とを最もよく利用できるように、実施形態について選択し、説明した。
【図１】
0005529350.tif 000002
【図２】
0005529350.tif 000003
【図３】
0005529350.tif 000004
【図４】
0005529350.tif 000005
【図５】
0005529350.tif 000006
【図６】
0005529350.tif 000007
【図７】
0005529350.tif 000008
【図８】
0005529350.tif 000009
【図９】
0005529350.tif 000010